(57)【要約】      （修正有）【課題】化粧料組成物の吐出量の調整が可能な化粧品およびその製造方法を提供する。【解決手段】ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上の材料を含むスクリーンネット１０および、前記スクリーンネット１０と隣接する吸収材３０を含み、液状内容物と吸収材３０の混練機能を利用して吸収材３０に液状内容物を担持させることにより、吸収材３０から放出される内容物の量の調節が可能で、スクリーンネット１０と吸収材３０の隣接構造によって構造変形が最小化される。化粧品は、内容物使用の際、内容物の排出の程度を適正に調節可能であり、吸収材３０の弾性によって担持された内容物の残量を最大限に使用可能とする。【選択図】図４
2018183617.tif 000002
【特許請求の範囲】
【請求項１】
ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上の材質を含むスクリーンネット；および
前記スクリーンネットと隣接する吸収材；を含む化粧品。
【請求項２】
前記スクリーンネットが有する孔のサイズは０．０１〜１．０ｍｍである、請求項１に記載の化粧品。
【請求項３】
前記スクリーンネットは、スクリーンネットの単位面積１ｃｍ２に、上下方向に力を加えたときの伸長率が１％〜１００％である、請求項１に記載の化粧品。
【請求項４】
前記スクリーンネットを上下方向に加える力は、４００ｇ・ｆ〜１Ｋｇ・ｆである、請求項３に記載の化粧品。
【請求項５】
前記スクリーンネットは、スクリーンネットを取り囲むスクリーンネットフレームをさらに含む、請求項１に記載の化粧品。
【請求項６】
前記スクリーンネットフレームは、ＴＰＥ（ｔｈｅｒｍｏｐｌａｓｔｉｃ  ｅｌａｓｔｏｍｅｒ）、エポキシ、アクリル、オレフィン、ポリエステルおよびポリウレタンからなる群より選択される１つ以上である、請求項５に記載の化粧品。
【請求項７】
前記スクリーンネットは、スクリーンネットフレームに高周波融合または超音波融合されて連結されたものである、請求項５に記載の化粧品。
【請求項８】
前記吸収材は、スクリーンネットと密着するか、または０．１〜３．０ｍｍの距離に位置するものである、請求項１に記載の化粧品。
【請求項９】
前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ‐Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上である、請求項１に記載の化粧品。
【請求項１０】
前記吸収材は、液状内容物を吸収し、スクリーンネットの孔を介して、吸収された液状内容物を排出して排出量の調節が可能である、請求項１に記載の化粧品。
【請求項１１】
吸収材に液状内容物を吸収させるステップ；と
前記吸収材とスクリーンネットを隣接させるステップ；を含む化粧品の製造方法。
【請求項１２】
前記スクリーンネットは、スクリーンネットを取り囲むスクリーンネットフレームをさらに含む、請求項１１に記載の化粧品の製造方法。
【請求項１３】
前記スクリーンネットは、０．０１〜１．０ｍｍのサイズの孔を有し、スクリーンネットフレームに高周波融合または超音波融合させたものである、請求項１２に記載の化粧品の製造方法。
【請求項１４】
前記スクリーンネットは、ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上である、請求項１１に記載の化粧品の製造方法。
【請求項１５】
前記スクリーンネットフレームは、ＴＰＥ（ｔｈｅｒｍｏｐｌａｓｔｉｃ  ｅｌａｓｔｏｍｅｒ）、エポキシ、アクリル、オレフィン、ポリエステルおよびポリウレタンからなる群より選択される１つ以上である、請求項１２に記載の化粧品の製造方法。
【請求項１６】
前記吸収材とスクリーンネットを隣接させるステップは、吸収材をスクリーンネットと密着させるか、または０．１〜３．０ｍｍの距離に位置させることである、請求項１１に記載の化粧品の製造方法。
【請求項１７】
前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ−Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上である、請求項１１に記載の化粧品の製造方法。
【請求項１８】
前記液状内容物を吸収した吸収材は、スクリーンネットの孔を介して、吸収された液状内容物を排出して排出量の調整が可能である、請求項１１に記載の化粧品の製造方法。
【発明の詳細な説明】
【技術分野】
【０００１】
本発明は、スクリーンネットを含む化粧品およびその製造方法に関し、より具体的には、吸収材とスクリーンネットが接触して化粧料組成物の吐出量の調整が可能な化粧品およびその製造方法に関する。
【背景技術】
【０００２】
従来のファクト製品の場合、パウダー状の内容物を圧着して作られたプレスファクト剤形が大部分であり、別途の中間構造物が不要となる。しかし、プレス剤形でなくパウダー粉体状の内容物をそのまま使用するルースパウダーの場合、内容物を調節して使用できるようにする網構造の中間構造を有する。このような網構造の大部分は、網目の大きさが３〜５ｍｍ以上である。パウダー状の内容物をパフに一定量付けるための網構造物であるため、３〜５ｍｍ以上のサイズを有する必要がある。パウダーの場合、これよりも小さいと、円滑に内容物が排出されないためである。
【０００３】
また、従来の紫外線遮断機能を含む化粧品の中には、粘性の内容物がスポンジなどの吸収材に吸収されて製作される種類がある。ここで、吸収材に対する内容物の吸収の程度は、内容物の粘性、吸収材の材質、吸収材の気孔サイズおよび硬度などによって変わる。このことは、最終生産される化粧品を消費者が使用する際に使用可能な化粧料の量が、それぞれの変数に応じて変わり得ることを意味する。ある製品は、吸収材が投入されている内容物の量に比べてはるかに少なく使用することになり、また他のある製品は、投入される内容物の量を比較的多く使用可能にする。
【０００４】
しかしながら、過度に多量の内容物が吸収材に含浸されている場合、吸収材が有する内容物調整能力を喪失することになる。逆に、投入される内容物の量に対して少なく排出する吸収材を使用した場合、消費者による使用量が少なくなるため消費者の不満を引き起こす。また、吸収材によっては、内容物と反応してスウェリング（ｓｗｅｌｌｉｎｇ）して体積が膨張することとなり、容器に合わなくなるという問題を起こす。
【０００５】
そこで、液状の内容物を含有する化粧料に対して内容物を含有する吸収材の使用範囲を広げ、内容物の反応等による変形にも調節能力を有するスクリーンネット構造物の必要性が提起されている。
【発明の概要】
【発明が解決しようとする課題】
【０００６】
前記のような問題点を解決するために、本発明は、液状内容物と吸収材の混練機能を利用して吸収材に液状内容物を担持させることにより、吸収材から放出される内容物の量の調節が可能で、スクリーンネットと吸収材の隣接構造によって構造変形が最小化される化粧品およびその製造方法を提供することをその目的とする。
【課題を解決するための手段】
【０００７】
前記のような目的を解決するために、本発明は、ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上のスクリーンネット；および、前記スクリーンネットと隣接する吸収材；を含む化粧品を提供する。
【０００８】
本発明の一実施例において、前記スクリーンネットが有する孔のサイズは、０．０１〜１．０ｍｍであってよい。
【０００９】
本発明の一実施例において、前記スクリーンネットのフレームは、ＴＰＥ（ｔｈｅｒｍｏｐｌａｓｔｉｃ  ｅｌａｓｔｏｍｅｒ）、エポキシ、アクリル、オレフィン、ポリエステルおよびポリウレタンからなる群より選択される１つ以上であってよい。
【００１０】
本発明の一実施例において、前記スクリーンネットは、スクリーンネットのフレームに高周波融合または超音波融合されて接続されたものであってよい。
【００１１】
本発明の一実施例において、前記吸収材は、スクリーンネットと密着し、または０．１〜３．０ｍｍの距離に位置するものであってよい。
【００１２】
本発明の一実施例において、前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ‐Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上であってよい。
【００１３】
本発明の一実施例において、前記吸収材は、液状内容物を吸収し、スクリーンネットの孔を介して吸収された液状内容物を排出して排出量の調節が可能なものであってよい。
【００１４】
また、本発明は、吸収材に液状内容物を吸収させるステップ；および、前記吸収材とスクリーンネットを隣接させるステップ；を含む化粧品の製造方法を提供する。
【発明の効果】
【００１５】
本発明の化粧品は、内容物使用の際、内容物の排出の程度を適正に調節可能であり、吸収材の弾性によって担持された内容物の残量を最大限に使用可能であり、既存の吸収材の種類および吸収材の気孔サイズ等のために制限的であった吸収材の選択の幅を広げる。また、内容物使用の際、経時変化に伴う使用感の変化を防ぐため、いつでも新しい製品を使用するような新鮮な感じを与えることができる。
【図面の簡単な説明】
【００１６】
【図１】従来の一般的なファクト容器を示す図である。
【図２】本発明の一実施形態に係る化粧品のスクリーンネットを示した模式図である。
【図３】本発明の一実施形態に係る化粧品の切断面を示した模式図である。
【図４】本発明の一実施形態に係る化粧品の模式図である。
【図５】本発明の一実施形態に係る化粧品のスクリーンネットを利用した実験結果を示す写真である。
【図６】本発明の一実施形態に係る化粧品のスクリーンネットの製織形態を示す図である。
【発明を実施するための形態】
【００１７】
以下では、本発明が属する技術分野における通常の知識を有する者が本発明を容易に実施できるようにするために、本発明の好ましい実施形態について詳細に説明することとす
る。
【００１８】
本発明は、ポリウレタン、ＴＰＥ（ｔｈｅｒｍｏｐｌａｓｔｉｃ  ｅｌａｓｔｏｍｅｒ（熱可塑性プラスチックエラストマー））、ポリエステル、ポリエーテル、アクリルおよびオレフィンからなる群より選択される１つ以上のスクリーンネット１０；および、前記スクリーンネットと隣接する吸収材３０；を含む化粧品を提供する。具体的に、液状内容物が収容される化粧品容器であって、孔を有するスクリーンネット；および、前記スクリーンネットと隣接する吸収材；を含む化粧品を提供する。
【００１９】
本発明において、前記スクリーンネットは、スクリーンネットを囲むスクリーンネットフレーム２０をさらに含むものであってよい。
【００２０】
本発明に係る化粧品は、吸収材に液状内容物を吸収させるステップ；および、前記吸収材とスクリーンネットを隣接させるステップ；を含む化粧品の製造方法によって製造されてよい。
【００２１】
本発明において、化粧品とは、化粧料組成物の収容のための容器自体を意味するか、または、化粧料組成物の収容のための容器および化粧料組成物を併せて含む概念を意味するものである。
【００２２】
以下、本発明の化粧品の製造方法について、より具体的に説明する。
【００２３】
まず、吸収材に液状内容物を吸収させるステップを進行する。
【００２４】
本発明において使用される吸収材は、材質または気孔の大きさ等において特に限定されるものではない。たとえば、前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ‐Ｂｕｔａｄｉｅｎｅ  Ｒｕｂｂｅｒ）、ＳＢＲ（Ｓｔｙｒｅｎｅ  Ｂｕｔａｄｉｅｎｅ
Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上であってよい。
【００２５】
吸収材に含有された内容物を最大限多く使用できるようにするためには、吸収材の気孔サイズを大きくしたり、硬度を下げたりして内容物が吸収材に多く入るようにし、吸収された内容物の再び容易に出されるようにしなければならない。しかし、気孔サイズが大きすぎたり、硬度が低すぎたりする場合、吸収材が形態をきちんと維持できず、内容物の排出も一定量に調節が困難になる。
【００２６】
本発明で使用される液状内容物は、液体状を有する内容物であれば特に限定されるものではない。たとえば、スキンローション、スキンソフナー、スキントナー、アストリンゼント、ローション、ミルクローション、モイスチャーローション、栄養ローション、マッサージクリーム、栄養クリーム、モイスチャークリーム剤形の液状内容物であってよく、特に乳化剤形であってよい。好ましくは、前記剤形の紫外線遮断剤（サンブロック）であってよい。
【００２７】
前記液状内容物は、水分散型、油分散型、油中水（Ｗ／Ｏ）型または水中油（Ｏ／Ｗ）型であってよい。
【００２８】
前記液状内容物は、その粘度が約１０００〜２００００ＣＰＳであるものであってよく、粘度における範囲が非常に広く多様な液状内容物を使用することができるという特徴を有する。そのため、吸収材もまた多様な素材、気孔サイズおよび硬度等を有する多様な種類の吸収材を使用することができるわけである。したがって、既存の制限的であった吸収材の選択の幅が広がるという長所を有する。
【００２９】
前記液状内容物の粘度は、粘度測定機器で測定することができ、たとえば、ＬＶＤＶII＋ＰＲＯによって、スピンドルＮＯ．６３、スピンドル速度５ＲＰＭ等で測定することができる。
【００３０】
前記液状内容物を吸収材に吸収させる方法は、通常的に当業界で使用される方法によるものであってよい。たとえば、スプレーまたは圧着方法を使用してよく、好ましくは、吸収材と内容物の混練機能を利用して、混練を通じて内容物を吸収させてよい。
【００３１】
その次に、前記吸収材とスクリーンネットを隣接させるステップを進行する。
【００３２】
前記ステップにおいて、前記吸収材をスクリーンネットと密着させて完全に付着させるか、または吸収材とスクリーンネットが互いに付着されずにスクリーンネットと０．１〜３．０ｍｍの距離に位置させることが好ましい。吸収材とスクリーンネットが密着して完全に付着されるか、または０．１〜３．０ｍｍの距離に位置させて初めて、スクリーンネットの孔を介した、吸収材に吸収された液状内容物の排出が効果的に起こらない。スクリーンネットと３．０ｍｍ超の距離にあると、スクリーンネットを押さえたときに内容物が十分に届かない可能性があり、吸収材が固定されない可能性がある。
【００３３】
本発明において使用されるスクリーンネットは、以下のような特徴を有するものである。
【００３４】
１）耐化学性、耐薬品性：化学的物質または薬品（アルコール類、オイル類など）に反応してスウェリング、浸食、形態変形、色素溶出などがない。
【００３５】
２）耐摩耗性：パフやブラシなどのアプリケータによる摩擦によって腐食や永久変形がされない。
【００３６】
３）内容物相溶性：化粧料によってスウェリング、形態変形、色素溶出、溶解、化粧料沈着などが起こらない。
【００３７】
４）耐毒性：重金属やフタレートといった環境有害物質の含有がない。
【００３８】
本発明のスクリーンネットの製織形態は、糸の組織の構成方法、糸の形状、糸の撚り数、太さ、材質等において特に限定されない。本発明のスクリーンネットが有してよい製織形態は、たとえば、平織り、１／２綾織、２／１綾織、綾織、絽組織、半絽組織、繻子織であってよい。これらを図６に示した。
【００３９】
本発明において、前記スクリーンネットは、上述した耐薬品性、耐薬品性、耐摩耗性、内容物相溶性、耐毒性に優れたものであれば、特に限定されるものではない、ポリウレタン、ＴＰＥ（ｔｈｅｒｍｏｐｌａｓｔｉｃ  ｅｌａｓｔｏｍｅｒ（熱可塑性プラスチックエラストマー））、ポリエステル、ポリエーテル、アクリルおよびオレフィンからなる群
より選択される１つ以上であってよい。本発明において、ポリエステルは、ＰＬＡ、ＰＨＢ、ＰＣＬ等の生分解性樹脂を含む脂肪族ポリエステルおよびＰＥＴ、ＰＢＴ、ＰＥＮ樹脂を含む芳香族ポリエステル樹脂であってよい。また、前記スクリーンネットの形態は、特に限定されるものでなく、ファクトの形状に応じて円形または多角形など、多様な形態が可能である。スクリーンネットを構成するファイバー（ｆｉｂｅｒ）の太さは、好ましくは０．０１〜１．０ｍｍであってよい。
【００４０】
本発明に係る化粧品において、パフ（内容物塗布部材）によりスクリーンネットを押さえる力は、約４００ｇ・ｆ〜１Ｋｇ・ｆである。通常、軽くスクリーンネットの上にパフを使用して吸収材を押さえる力が約４００〜５００ｇ・ｆであり、少し強く押さえた場合に約１Ｋｇ・ｆとなる。
【００４１】
本発明において、スクリーンネットは、スクリーンネットの単位面積を押さえたときの伸長率が１％〜１００％であることが好ましい。つまり、スクリーンネットの単位面積１ｃｍ２を押さえたときに、垂直に１ｃｍ以下にまで伸長されることが好ましい。ナイロンスクリーンネットの場合、伸長率が２００％以上で、圧力が加えられる一定部分のみが押さえられつつ圧力が加えられるのに対し、本発明に係るポリウレタン、ＴＰＥ（ｔｈｅｒｍｏｐｌａｓｔｉｃ  ｅｌａｓｔｏｍｅｒ（熱可塑性プラスチックエラストマー））、ポリエステル、ポリエーテル、アクリルおよびオレフィンからなる群より選択されるスクリーンネットは、ナイロンに比べて伸長力が小さく、一定の部分のみが押さえられて圧力が加えられることなく、周辺部まで広く圧力が加えられる。これにより、吸収材が広く押さえられてスクイーズされるため、内容物が一定部分においてのみ吐出されることなく、より広く均一に吐出される効果を得ることができる。ナイロンと本発明に係るスクリーンネットの材質を比較すると、下表のとおりである。
【００４２】
【表１】
2018183617.tif 000003
【００４３】
前記スクリーンネットは、孔を有し、前記孔のサイズは０．０１〜１．０ｍｍ（約１００〜１０，０００メッシュ）であることが好ましい。より好ましくは、０．５〜１．０ｍｍ（約１００〜４００メッシュ）、最も好ましくは、０．７５〜１ｍｍ（約１００〜１８０メッシュ）であってよい。孔のサイズが０．０１ｍｍより小さいと、メイクアップ内容物の粒子サイズが非常に大きく、塊になったり、または表面張力による影響を受けて吐出（排出）が円滑でなくなり、１．０ｍｍよりも大きいと、内容物の排出量が非常に大きくなって、スクリーンネットとしての機能の意味がなくなる。メイクアップ内容物がスクリーンネットの孔を介して排出されるため、前記範囲内の孔を有して初めて適正な内容物の
調整機能を有するようになる。
【００４４】
本発明の製造方法は、スクリーンネット構造の維持のために、スクリーンネットをスクリーンネットフレームによって取り囲むステップをさらに含んでよい。このステップは、前記スクリーンネットを、スクリーンネットフレームに高周波融合または超音波融合して接続することが望ましい。スクリーンネットフレームが連結されたスクリーンネットを図２に示した。
【００４５】
前記スクリーンネットフレームは、特に限定されるものではない、ＴＰＥ（ｔｈｅｒｍｏｐｌａｓｔｉｃ  ｅｌａｓｔｏｍｅｒ（熱可塑性プラスチックエラストマー））、エポキシ、アクリル、オレフィン、ポリエステルおよびポリウレタンからなる群より選択される１つ以上であってよい。こうした素材のスクリーンネットフレームと上述した材料のスクリーンネットが、高周波融合や超音波融合に適する。
【００４６】
このように製造されたスクリーンネットは、ファクトの吸収材固定構造物の内側に位置させたり、吸収材の固定構造物に物理的に嵌合させたりしてよい。または、前記吸収材固定構造物に二重射出を通じて結合させたり、フレーム自体を固定構造物としたりすることも可能である。
【００４７】
本発明に係る化粧品は、吸収材に含浸された内容物をスクリーンネットの孔のサイズに適正量に制御し、弾性を有しているため吸収材の弾性と連携して内容物の残量を最大限に使用可能にする。吸収材が内容物と化学的反応を起こして多少膨らむ現象（ｓｗｅｌｌｉｎｇ）が発生しても、吸収材に隣接したスクリーンネットが形状全体を一定に保持する役割をする。また、吸収材が弾性（ｔｅｎｓｉｏｎ）を有するため、製品の使用中にも、常に新しい製品を使用しているような感じを与えることができる。
【００４８】
前記のように製造された化粧品において、前記吸収材は、液状内容物を吸収し、スクリーンネットの孔を介して吸収された液状内容物を排出して、排出量の調整が可能になる。
【００４９】
以下、実施例、比較例および実験例を挙げつつ、本発明の構成と効果を具体的に説明する。しかし、以下の実施例、比較例および実験例は、本発明の理解を助けるために例示の目的としてのみ提供されたものであるにすぎず、本発明の範囲および範囲がそれらによって限定されるものではない。
［実験例１］
本発明に係るスクリーンネットを使用する場合における液状内容物の排出量と、スクリーンネットを使用しない既存の場合の排出量を比較した。その結果を図５に示した。リキッドファンデーションを、気孔（ｐｏｒｅ）が非常に大きく内容物の調整がされないスポンジに担持し、パフで５回押し付けた場合（比較例）、パフに付いた内容物の量が０．４１ｇｒａｍであった。しかし、同じ内容物の製品に本発明によるスクリーンネットを使用した場合（実施例）、付いた内容物の量が０．１９ｇｒａｍで５０％以上減少した。すなわち、本発明のスクリーンネットを使用した場合、液状内容物を適正量に調整して使用可能であることを確認した。
【符号の説明】
【００５０】
１０  スクリーンネット
２０  スクリーンネットフレーム
３０  吸収材
１００  容器
【図１】
2018183617.tif 000004
【図２】
2018183617.tif 000005
【図３】
2018183617.tif 000006
【図４】
2018183617.tif 000007
【図５】
2018183617.tif 000008
【図６】
2018183617.tif 000009
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上の材質を含むスクリーンネット；および
前記スクリーンネットと隣接する吸収材；を含み、
前記吸収材に液状内容物を担持し、
前記吸収材は、前記スクリーンネットと密着するか、または０．１〜３．０ｍｍの距離に位置し、
前記スクリーンネットは、前記スクリーンネットの単位面積１ｃｍ２に、上下方向に４００ｇ・ｆ〜１Ｋｇ・ｆの力を加えたときの上下方向の伸長率が１％〜１００％であり、
前記上下方向の伸長率（％）は、単位面積１ｃｍ２に、上下方向に力を加えたときの垂直の伸長１ｃｍを１００％とする百分率である、化粧品。
【請求項２】
前記スクリーンネットが有する孔のサイズは０．０１〜１．０ｍｍである、請求項１に記載の化粧品。
【請求項３】
前記スクリーンネットは、スクリーンネットを取り囲むスクリーンネットフレームをさらに含む、請求項１または２に記載の化粧品。
【請求項４】
前記スクリーンネットフレームは、ＴＰＥ（ｔｈｅｒｍｏｐｌａｓｔｉｃ  ｅｌａｓｔｏｍｅｒ）、エポキシ、アクリル、オレフィン、ポリエステルおよびポリウレタンからなる群より選択される１つ以上である、請求項３に記載の化粧品。
【請求項５】
前記スクリーンネットは、スクリーンネットフレームに高周波融合または超音波融合されて連結されたものである、請求項３または４に記載の化粧品。
【請求項６】
前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ‐Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上である、請求項１から５のいずれか１項に記載の化粧品。
【請求項７】
前記吸収材は、液状内容物を吸収し、スクリーンネットの孔を介して、吸収された液状内容物を排出して排出量の調節が可能である、請求項１から６のいずれか１項に記載の化粧品。
【請求項８】
吸収材に液状内容物を吸収させるステップ；と
前記吸収材とスクリーンネットを隣接させるステップ；を含み、
前記吸収材とスクリーンネットを隣接させるステップは、吸収材をスクリーンネットと密着させるか、または０．１〜３．０ｍｍの距離に位置させることであり、
前記スクリーンネットは、ポリウレタン、ＴＰＥ（ｔｈｅｒｍｏｐｌａｓｔｉｃ  ｅｌａｓｔｏｍｅｒ）、ポリエステル、ポリエーテル、アクリルおよびオレフィンからなる群より選択される１つ以上であり、
前記スクリーンネットは、前記スクリーンネットの単位面積１ｃｍ２に、上下方向に４００ｇ・ｆ〜１Ｋｇ・ｆ力を加えたときの上下方向の伸長率が１％〜１００％であり、
前記上下方向の伸長率（％）は、単位面積１ｃｍ２に、上下方向に力を加えたときの垂直の伸長１ｃｍを１００％とする百分率である、化粧品の製造方法。
【請求項９】
前記スクリーンネットは、スクリーンネットを取り囲むスクリーンネットフレームをさらに含む、請求項８に記載の化粧品の製造方法。
【請求項１０】
前記スクリーンネットは、０．０１〜１．０ｍｍのサイズの孔を有し、スクリーンネットフレームに高周波融合または超音波融合させたものである、請求項９に記載の化粧品の製造方法。
【請求項１１】
前記スクリーンネットフレームは、ＴＰＥ（ｔｈｅｒｍｏｐｌａｓｔｉｃ  ｅｌａｓｔｏｍｅｒ）、エポキシ、アクリル、オレフィン、ポリエステルおよびポリウレタンからなる群より選択される１つ以上である、請求項９または１０に記載の化粧品の製造方法。
【請求項１２】
前記吸収材は、スポンジ、ポリエチレンフォーム、ポリプロピレンフォーム、ポリアミドフォーム、ポリエステルフォーム、ポリエーテルフォーム、ポリウレタンフォーム、コットン（綿）、不織布、ＮＢＲ（ＡｃｒｙｌｏＮｉｔｒｉｌｅ−Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ポリ塩化ビニル、ポリエチレン、ＥＶＡ（Ｅｔｈｙｌｅｎｅ  Ｖｉｎｙｌ  Ａｃｅｔａｔｅ）、ラテックス、シリコン、皮膜タイプ、ＳＩＳ（Ｓｔｙｒｅｎｅ  Ｉｓｏｐｒｅｎｅ  Ｓｔｙｒｅｎｅ）、ＳＥＢＳ（Ｓｔｙｒｅｎｅ  Ｅｔｈｙｌｅｎｅ  Ｂｕｔｙｌｅｎｅ  Ｓｔｙｒｅｎｅ）、ＰＶＡ（ＰｏｌｙＶｉｎｙｌ  Ａｌｃｏｈｏｌ）、シリコン製エラストマー、ニトリル、ブチルおよびネオプレン、乾式ウレタンおよび湿式ウレタンからなる群より選択される１つ以上である、請求項９から１１のいずれか１項に記載の化粧品の製造方法。
【請求項１３】
前記液状内容物を吸収した吸収材は、スクリーンネットの孔を介して、吸収された液状内容物を排出して排出量の調整が可能である、請求項９から１２のいずれか１項に記載の化粧品の製造方法。